(57)【要約】【課題】生活シーンに応じて必要な防犯機器が自動的に動作するようにスケジューリングできる監視装置を提供する。【解決手段】中央処理装置１に、宅内からスケジュール情報を設定したり、外出先から宅外通信回線７を介して、携帯電話８でスケジュール情報を送信したりすることにより、人感センサ２、５や開閉センサ３、６などの複数の防犯機器の監視動作状況を「外出モード」や「夜間モード」などの目的に応じて自動的に一括設定でき、設定忘れや設定間違いを無くし確実に動作できる監視装置を実現できる。【選択図】図１
2005182471.tif 000002
【特許請求の範囲】
【請求項１】
定常または非定常の状態を監視するひとつまたは複数の端末機器と通信する通信手段と、前記端末機器の監視動作や停止などの動作状態を前記通信手段への電文により切替える制御手段を備えた中央処理装置において、前記中央処理装置に予め記憶された日時と前記動作状態とを対応させたスケジューリング情報に従い、前記端末機器の動作状態を切替える監視装置の中央処理装置。
【請求項２】
定常または非定常の状態を監視するひとつまたは複数の端末機器と通信する通信手段と、宅外との制御電文の送受信ができる宅外通信手段と、前記端末機器の監視動作や停止などの動作状態を前記通信手段への電文により切替える制御手段を備えた中央処理装置において、前記宅外通信手段からの電文に記憶された日時と前記動作状態を対応させたスケジューリング情報に従い、前記複数の端末機器の動作状態を切替える監視装置の中央処理装置。
【請求項３】
請求項１または２のいずれかに記載の監視装置の中央処理装置の少なくとも一つの機能をコンピュータに実行させるためのプログラム。
【発明の詳細な説明】
【技術分野】
【０００１】
本発明は、侵入者を検知した等の端末機器からの非定常状態の通信に基づいて自動通報を行う監視装置の中央処理装置およびそのプログラムに関するものである。
【背景技術】
【０００２】
近年、窃盗犯罪の増加に伴い、住居における監視装置の需要が増加している。従来、この種の監視装置は、窓やドアの開閉センサや人感センサ、監視カメラなど侵入者検知用の複数の端末機器と警報を発する中央処理装置との組合せであった。
【０００３】
これらの侵入者検知用の端末機器の動作状態を切替える設定モードとしては、侵入者などを検知するように端末機器を監視動作状態にさせておく「警戒モード」と、各端末機器と中央処理装置との通信手段は動作しているが検知およびその報知は行わない「解除モード」を設けるのが一般的である。「解除モード」では、人感センサや監視カメラの検出デバイスとなる赤外線センサやＣＣＤの検出回路などへの電源供給を絶つことにより省電力の効果に加えて、家人自身が検出されて警報が吹鳴したりする不便が起きないようにしている。
【０００４】
更に、通常の一般住宅では、間取りや家族構成、生活スタイルなどが様々であるため、こうした侵入者検知用の端末機器を必要に応じて必要な個所に取り付ける構成となっており、中央処理装置も取り付けた端末機器を住居区画などのグループ毎にグルーピングして管理し、在宅の状況や生活スタイルに合わせて必要なグループに属する端末機器のみを「警戒モード」で動作させるような設定モードを設けて管理する方法も提案されている。例えば、家族全員が不在となる外出時に全端末機器を対象にする「外出警戒モード」、家族が揃って１階で団欒しているような２階に取りつけた端末機器のみを対象にする「在宅警戒モード」、家族が２階で就寝するような１階に取りつけた端末機器のみを対象とする「夜間警戒モード」、などが考えられる。
【０００５】
ところが、こうした複数のモードが存在する場合には、家人がそれぞれのモードの設定や解除を操作する煩わしたや複雑さが生じ、例えば「警戒モード」から「解除モード」への切り替え忘れや操作間違いにより、家人自身がドアや窓を開閉した際に警報が吹鳴するなどの不都合が起こりうる。これを防止する一例として「警戒モード」に設定時に、「解除モード」に切り替える解除時刻を設定し、この時刻になると自動的に「解除モード」となる構成なども提案されている（例えば、特許文献１）。
【特許文献１】特開平４−１７８９００号公報
【発明の開示】
【発明が解決しようとする課題】
【０００６】
しかし、「解除モード」に切り替え忘れるのと同様に「警戒モード」に設定を行うことを忘れる場合もありうる他、「在宅警戒モード」や「解除モード」など複数の設定モードが設定できうるようになると、本来設定したいモードと異なるモードを間違えて設定しまったする不都合が生じる恐れがある。
【課題を解決するための手段】
【０００７】
前記課題を解決するために、本発明の監視装置の中央処理装置およびそのプログラムでは、定常または非定常の状態を監視するひとつまたは複数の端末機器と通信する通信手段と、前記複端末機器の監視動作や停止などの動作状態を切替える制御手段を備えた中央処理手段において、前記中央処理装置に予め記憶された日時と前記動作状態を対応させたスケジューリング情報に従い、前記複数の端末機器の動作状態を切替えるようにしている。
【発明の効果】
【０００８】
本発明の監視装置の中央処理装置およびそのプログラムでは、宅内からスケジュール情報を設定したり、外出先から宅外通信回線を介して、携帯電話で端末機器の動作状態を自動制御するスケジュール情報を送信したりすることにより、設定忘れや設定間違いを無くし確実に動作できる監視装置の中央処理装置を実現できるものである。
【発明を実施するための最良の形態】
【０００９】
第１の発明は、定常または非定常の状態を監視するひとつまたは複数の端末機器と通信する通信手段と、前記端末機器の監視動作や停止などの動作状態を前記通信手段への電文により切替える制御手段を備えた中央処理装置において、前記中央処理装置に予め記憶された日時と前記動作状態とを対応させたスケジューリング情報に従い、前記端末機器の動作状態を切替える監視装置の中央処理装置において、前記中央処理装置に予め記憶された日時と前記動作状態を対応させたスケジューリング情報に従い、各端末機器の動作状態を切替えるようにしている。この方法により、設定忘れや設定間違いを無くし確実に動作できる監視装置の中央処理装置を実現できるものである。
【００１０】
第２の発明は、定常または非定常の状態を監視するひとつまたは複数の端末機器と通信する通信手段と、宅外との制御電文の送受信ができる宅外通信手段と、前記端末機器の監視動作や停止などの動作状態を前記通信手段への電文により切替える制御手段を備えた中央処理装置において、前記宅外通信手段からの電文に記憶された日時と前記動作状態を対応させたスケジューリング情報に従い、前記複数の端末機器の動作状態を切替えるようにしている。この方法により、外出しているような場合でも設定の確認や変更ができ、設定忘れや設定間違いを無くし確実に動作できる監視装置の中央処理装置を実現できるものである。
【００１１】
第３の発明は、第１または２の発明のいずれかに記載の監視装置の中央装置の少なくとも一つの機能をコンピュータに実行させるためのプログラムとしている。この構成によれば、プログラムであるので電気・情報機器、コンピュータ、サーバー等のハードリソースを協働させて本発明の監視装置の中央処理装置の少なくとも一部を容易に実現することができる。また記録媒体に記録したり通信回線を用いてプログラムを配信したりすることでプログラムの配布・更新やそのインストール作業が簡単にできる。
【００１２】
以下本発明の実施の形態について、図面を用いて説明する。
【００１３】
（実施の形態１）
図１は、本発明の実施の形態１における監視装置を模式化したブロック図である。図１の中央処理装置１は監視装置全体を制御する情報処理装置であり、ＰＤＡやパソコンなどのコンピュータ機器とそのソフトウェアで構成する。人感センサ２は人の接近や動きを検知して中央処理装置１の通信手段（図示せず）に電文を送出する端末機器、開閉センサ３は侵入者によるドアなど開閉を検知して中央処理装置１の通信手段（図示せず）に電文を送出する端末機器、監視カメラ４は画像や動画により侵入者を監視して中央処理装置１の通信手段（図示せず）に電文を送出する端末機器のそれぞれ一例である。また、人感センサ５、開閉センサ６も、それぞれ人感センサ２、開閉センサ３と同様である。
【００１４】
図１では、一例として人感センサ２、開閉センサ３、監視カメラ４は家人が日中に生活する居間などのある１階に設置し、人感センサ５、開閉センサ６は寝室などのある２階に設置する場合を示している。宅外通信手段９は、モデムやルータなどで構成する通信機器であり、宅外通信回線７に接続してインターネット網や公衆電話回線網などの宅外のパソコンや携帯電話と電文の送受信を行う。この宅外通信手段９は、中央処理装置１内に内蔵した構成でも構わない。家人の持つ携帯電話８は中央処理装置１の通報先に設定した宅外の通信機器の一例であり、これは家人の勤務先の電話や別居の家族、近所や警備会社などの携帯電話や固定電話、パソコンのメール装置などでも構わない。
【００１５】
図２は、宅内に設置した端末機器の監視動作状態と時間帯を対応させたスケジュール表の一例である。図２では指定の時間帯と、その時間帯に各センサを警戒動作させる「ＯＮ」か、停止させる「ＯＦＦ」かを記述している。例えば、１行目の時間帯「０７：００−０８：００」は、家人が起床して朝食や外出の準備をしている時間帯であるため、２階の人感センサ５は「ＯＮ」、つまり動作中で侵入者などが有った場合は報知を行う事を示している。また、１階の人感センサ２は「ＯＦＦ」、つまり家人自身の出入りなどを検出して警報などの報知しないよう動作を停止させている事を示す。
【００１６】
本実施の形態では、図２の様なスケジューリング表を予め中央処理装置１に記憶させておくことにより、中央処理装置１が内部のタイマを参照して、該当時間帯に相当する「ＯＮ」「ＯＦＦ」の状態にセンサやカメラを順次制御する。このように自動スケジューリングできることで、設定し忘れや設定間違いを無くし、確実に監視装置を動作させることができる。もちろん、このスケジュール表は中央処理装置１に備えたタッチパネルやキーボードなどの表示操作手段（図示せず）で追加や削除などの変更できうるようにしておけば有効である。
【００１７】
なお、図２は２４時間帯の時刻で記述してあるが、休日などを考慮して、図２のスケジュール表に曜日や、休日と勤務日の別を付け加えることも可能である。
【００１８】
また、旅行などで家を空けた際や、急に帰宅が遅くなった際などに備え、職場のパソコンや携帯電話８などの宅外の通信機器から図２のスケジュール表に相当する電文を中央処理装置１に送信し、スケジュール表を更新する構成にできる。この際には、不法なアクセスにより勝手にスケジュール表を改ざんできないよう、中央処理装置１に予め登録しておいたメールアドレスや携帯番号以外からの変更電文を受け付けない構成や、パスワードが付与されてない変更電文は受け付けない構成にしておくことは、安全面で非常に有効である。
【００１９】
この他、センサの状態としては「ＯＮ］「ＯＦＦ」以外に、動作中で中央処理装置１や端末機器事態のブザーなどの警報は鳴らすが、宅外通信回線７を使って外部に報知する事まではしない「準ＯＮ」といったような動作状態など、他の動作状態を設定できるようにしておく方法も可能である。
【００２０】
（実施の形態２）
図３および図４は、宅内の端末機器群を用途に応じて各種のモードとしてグルーピングする例を説明するものである。本実施例は、モ−ドごとに設定したスケジュール情報に応じて中央処理装置１が端末機器群の動作状態を一括設定するようものであり、その他の構成は実施の形態１と同様に構成する。
【００２１】
図３は、各モード時にいずれの端末機器を動作させるかのグルーピング情報を規定して記憶したテーブルであり、例えば「外出モード」時には、人感センサ２および開閉センサ３、監視カメラ４、人感センサ５などの全てのセンサを動作させる。また、「夜間モード」時には２階で家族が就寝するような想定として、不在となる１階に設置した端末機器を動作させ、２階に設置した端末機器を停止させる設定を示している。
【００２２】
図４は、各時間帯にどのモードに設定するかを記述したスケジュール情報であり、中央処理装置１はあらかじめ記憶した図４の例のようなスケジュール情報に従って、該時刻における設定モードを決定し、設定モードといずれの端末機器を「ＯＮ」「ＯＦＦ」するかを記憶した図３のグルーピング情報に従い、必要な端末機器に電文を送信して動作状態を切替えさせるものである。
【００２３】
なお、図４についても、実施の形態１と同様に休日などの曜日に応じたスケジューリングや、宅外回線網７を介して外部から設定できうる構成にしておけば有効なものである。
【００２４】
更に、各部の具体的な構成は、上述した実施形態のみに限定されるものではなく、本発明の趣旨を逸脱しない範囲で種々変形が可能である。
【００２５】
例えば、上記実施形態において、図２の時間設定は秒単位の設定が可能なものでもよく、図３のモード数も更に増加させても構わない。
【００２６】
また、このような方法を実施する監視装置は、少なくとも、定常または非定常の状態を監視する複数の端末機器との通信部と、複数の端末の動作と停止の動作状態を切替える制御部と、制御部に予め記憶された日時と動作状態のスケジューリングに従い前記複数の端末機器の動作状態を切替える切替え部とを具備しておけば足りる。
【００２７】
なお、コンピュータをこのような通信部、制御部或いは切替え部として機能させるためのプログラムを用いれば、本システムの拡布、利用を一層容易なものにすることができる。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００２８】
本発明は、宅内からスケジュールを設定したり、外出先や職場のパソコンなどから携帯電話でスケジュール情報を記憶した電子メールなどを送信したりすることにより、複数の端末機器を個別に制御したり、グルーピングして自動に一括制御することができ、設定忘れや設定間違いを無くし確実に動作できる監視装置の中央処理装置およびそのプログラムを実現できるものである。
【図面の簡単な説明】
【００２９】
【図１】本発明の実施の形態１の監視装置の一例を示すブロック図
【図２】同装置のスケジュール情報の一例を示す図
【図３】同装置の実施の形態２のグルーピング情報の一例を示す図
【図４】同装置の実施の形態２のスケジュール情報の一例を示す図
【符号の説明】
【００３０】
１  中央処理装置
２  人感センサ（端末機器）
３  開閉センサ（端末機器）
４  監視カメラ（端末機器）
５  人感センサ（端末機器）
６  開閉センサ（端末機器）
７  宅外通信回線
８  携帯電話
９  宅外通信手段
【図１】
2005182471.tif 000003
【図２】
2005182471.tif 000004
【図３】
2005182471.tif 000005
【図４】
2005182471.tif 000006